(57)【要約】    【課題】      折り畳み構造でテレビ番組を視聴可能な携帯電話端末において、電池の消耗を低く抑えながらも視聴内容を容易に確認することができるようにする。    【解決手段】  受信した放送電波から復号したテレビ画像をサブディスプレイ１１１の画面サイズに合う大きさに縮小し、その縮小したテレビ画像と、電池の残量情報やアンテナ状況、時計などの情報を表すステータス画像とをユーザ操作によって択一的に選択してサブディスプレイ１１１に表示する。これにより、ユーザの意図に合わせてサブディスプレイ１１１にテレビ画像を出力することが可能となり、ユーザは本体を開くことなく閉じたままの状態でテレビ番組の内容を把握することができ、また電池の消耗を最小限に抑えることができる。  【選択図】      図１
2007019628.tif 000002
【特許請求の範囲】
【請求項１】
折り畳み構造の本体を開いたときに使用するメインディスプレイと、前記本体を閉じたときに使用するサブディスプレイとを具備し、テレビ番組を視聴可能な携帯電話端末において、
受信したテレビ番組の内容を前記サブディスプレイに表示する表示制御手段を具備する携帯電話端末。
【請求項２】
前記サブディスプレイに表示する情報としてテレビ番組の内容又はテレビ番組以外の内容を指定する信号をユーザ操作に従って生成するモード切替信号生成手段を具備し、
前記表示制御手段は、前記モード切替信号生成手段よりテレビ番組の内容を指定する信号が生成されると、受信されたテレビ番組の内容を前記サブディスプレイに表示し、前記モード切替信号生成手段よりテレビ番組以外の内容を指定する信号が生成されると、テレビ番組以外の内容を前記サブディスプレイに表示する請求項１に記載の携帯電話端末。
【請求項３】
前記サブディスプレイにテレビ情報を表示する際に、表示するコマ数を少なくするよう制御する表示コマ数制御手段を具備する請求項１又は請求項２に記載の携帯電話端末。
【請求項４】
前記表示コマ数制御手段は、
画面内符号化とフレーム間予測符号化が併用された画像符号化信号を復号する画像復号手段と、
受信された画像符号化信号から画面内符号化されたフレームのみを検出して前記画像復号手段にて復号させる復号制御手段と、
を具備する請求項３に記載の携帯電話端末。
【請求項５】
前記表示制御手段は、前記サブディスプレイにテレビ番組の内容を表示しているときに、本体が開かれるとテレビ番組の内容を前記メインディスプレイに表示する請求項１から請求項４のいずれかに記載の携帯電話端末。
【請求項６】
折り畳み構造の本体を開いたときに使用するメインディスプレイと、前記本体を閉じたときに使用するサブディスプレイとを具備し、テレビ番組を視聴可能な携帯電話端末におけるテレビ番組表示制御方法において、
受信したテレビ番組の内容を前記サブディスプレイに表示するテレビ番組表示制御方法。
【請求項７】
前記サブディスプレイに表示するテレビ番組の内容を、コマ数を少なくして表示する請求項６に記載のテレビ番組表示制御方法。
【請求項８】
前記サブディスプレイにテレビ番組の内容を表示しているときに、本体が開かれるとテレビ番組の内容を前記メインディスプレイに表示する請求項６又は請求項７に記載のテレビ番組表示制御方法。
【発明の詳細な説明】
【技術分野】
【０００１】
本発明は、テレビ番組が視聴可能な携帯電話端末に関し、特に本体が２分割された折り畳み式で且つディスプレイを少なくとも２つ有する携帯電話端末及びテレビ番組表示制御方法に関する。
【背景技術】
【０００２】
近年、上述した構造を持つ携帯電話端末が普及している（例えば、特許文献１参照）。この種の携帯電話端末は、２つ折りした本体を開いたときに使用するメインディスプレイと、本体を閉じた時に使用するサブディスプレイとを備えており、メインディスプレイは主に使用する機能を選択するためのメニュー画面や様々な情報を表示するために使用され、サブディスプレイは通話のための電波状況や電池残量や時計などステータスを表示するために使用されるのが一般的である。
【特許文献１】特開２００２−２９０８４４号公報
【発明の開示】
【発明が解決しようとする課題】
【０００３】
しかしながら、従来の携帯電話端末においては、テレビ番組を視聴する場合、長時間に亘って視聴するよりは関心のある部分だけを視聴するという使い方が想定されるため、視聴内容を確認するためにはその都度本体を開かなければならず、手間がかかるという問題がある。なお、手間がかからないようにするにはテレビ番組を継続して表示させれば良いが、このようにすると電池を消耗し、本来の目的である電話機能を利用できる時間が短くなることから、テレビ番組を継続して表示させることは好ましくない。
【０００４】
本発明はかかる点に鑑みてなされたものであり、電池の消耗を低く抑えながらも視聴内容を容易に確認することができる携帯電話端末及びテレビ番組表示制御方法を提供することを目的とする。
【課題を解決するための手段】
【０００５】
（１）  折り畳み構造の本体を開いたときに使用するメインディスプレイと、前記本体を閉じたときに使用するサブディスプレイとを具備し、テレビ番組を視聴可能な携帯電話端末において、受信したテレビ番組の内容を前記サブディスプレイに表示する表示制御手段を具備する構成を採る。
【０００６】
上記構成によれば、本体を閉じた状態でも視認可能なサブディスプレイにテレビ番組内容を表示するので、メインディスプレイで表示するよりも電池の消耗を低く抑えることができ、また本体を開く手間を省くことができる。
【０００７】
（２）  上記（１）に記載の携帯電話端末において、前記サブディスプレイに表示する情報としてテレビ番組の内容又はテレビ番組以外の内容を指定する信号をユーザ操作に従って生成するモード切替信号生成手段を具備し、前記表示制御手段は、前記モード切替信号生成手段よりテレビ番組の内容を指定する信号が生成されると、受信されたテレビ番組の内容を前記サブディスプレイに表示し、前記モード切替信号生成手段よりテレビ番組以外の内容を指定する信号が生成されると、テレビ番組以外の内容を前記サブディスプレイに表示する構成を採る。
【０００８】
上記構成によれば、ユーザは、サブディスプレイにテレビ番組の内容とそれ以外の内容を任意に表示させることができる。
【０００９】
（３）  上記（１）又は（２）に記載の携帯電話端末において、前記サブディスプレイにテレビ情報を表示する際に、表示するコマ数を少なくするよう制御する表示コマ数制御手段を具備する構成を採る。
【００１０】
上記構成によれば、サブディスプレイ表示時は表示コマ数を落とすので、電池の消耗をさらに低く抑えることができる。
【００１１】
（４）  上記（３）に記載の携帯電話端末において、前記表示コマ数制御手段は、画面内符号化とフレーム間予測符号化が併用された画像符号化信号を復号する画像復号手段と、受信された画像符号化信号から画面内符号化されたフレームのみを検出して前記画像復号手段にて復号させる復号制御手段と、を具備する構成を採る。
【００１２】
上記構成によれば、受信された画像符号化信号から画面内符号化されたフレームのみを検出することで、表示コマ数を落とすことができる。
【００１３】
（５）  上記（１）から（４）のいずれかに記載の携帯電話端末において、前記表示制御手段は、前記サブディスプレイにテレビ番組の内容を表示しているときに、本体が開かれるとテレビ番組の内容を前記メインディスプレイに表示する構成を採る。
【００１４】
上記構成によれば、サブディスプレイにテレビ番組の内容を表示しているときに本体を開くとメインディスプレイにテレビ番組の内容を表示するので、ユーザは直ぐに視聴したいテレビ番組の内容を見ることができる。
【００１５】
（６）  折り畳み構造の本体を開いたときに使用するメインディスプレイと、前記本体を閉じたときに使用するサブディスプレイとを具備し、テレビ番組を視聴可能な携帯電話端末におけるテレビ番組表示制御方法において、受信したテレビ番組の内容を前記サブディスプレイに表示する。
【００１６】
上記方法によれば、本体を閉じた状態でも視認可能なサブディスプレイにテレビ番組内容を表示するので、メインディスプレイで表示するよりも電池の消耗を低く抑えることができ、また本体を開く手間を省くことができる。
【００１７】
（７）  上記（６）に記載のテレビ番組表示制御方法において、前記サブディスプレイに表示するテレビ番組の内容を、コマ数を少なくして表示する。
【００１８】
上記方法によれば、サブディスプレイ表示時は表示コマ数を落とすので、電池の消耗をさらに低く抑えることができる。
【００１９】
（８）  上記（６）又は（７）に記載のテレビ番組表示制御方法において、前記サブディスプレイにテレビ番組の内容を表示しているときに、本体が開かれるとテレビ番組の内容を前記メインディスプレイに表示する。
【００２０】
上記方法によれば、サブディスプレイにテレビ番組の内容を表示しているときに本体を開くとメインディスプレイにテレビ番組の内容を表示するので、ユーザは直ぐに視聴したいテレビ番組の内容を見ることができる。
【発明の効果】
【００２１】
本発明によれば、電池の消耗を低く抑えながらも視聴内容を容易に確認することが可能となる。
【発明を実施するための最良の形態】
【００２２】
以下、本発明の実施の形態について、図面を参照して詳細に説明する。
【００２３】
（実施の形態１）
図１は、本発明の実施の形態１に係る携帯電話端末の概略構成を示すブロック図である。この図において、本実施の形態の携帯電話端末は、放送電波を捉えるためのアンテナ１０１と、アンテナ１０１で捉えられた放送電波を受信する受信部１０２と、受信信号からベースバンド信号を復調する復調部１０３と、ベースバンド信号から画像符号化データと音声符号化データとを分離する分離部１０４と、画像符号化データからテレビ画像を復号する画像復号部１０５と、復号されたテレビ画像をサブディスプレイ１１１の画面サイズに合うように縮小する画像縮小処理部１０６と、電池の残量情報やアンテナ状況、時計などの情報を生成するステータス生成部１０７と、ステータス生成部１０７で生成されたステータスを画像表示するためのステータス画像を生成するステータス画像生成部１０８と、本端末のユーザの操作即ちサブディスプレイ１１１に表示する情報を受信中のテレビ画像とするのか、ステータス情報にするかを決定する操作に基づいてモード切替信号を生成するモード切替信号生成部１１０と、モード切替信号生成部１１０で生成されたモード切替信号に応じてステータス画像を出力するか、テレビ画像を出力するかのスイッチを制御する表示制御部１０９と、表示制御部１０９で選択された画像を可視表示するディスプレイ１１１とを備えている。
【００２４】
次に、上記構成の携帯電話端末の動作について説明する。
アンテナ１０１で捉えられた放送電波を受信部１０２がダウンコンバートしてベースバンド信号を得る。そして、受信部１０２からのベースバンド信号が復調部１０３に入力されて画像符号化データと音声符号化データが復調される。そして、分離部１４０で画像符号化データと音声符号化データが分離されて、画像符号化データについては画像復号部１０５に入力されて画像が復号される。そして、復号された画像がサブディスプレイ１１１の画面サイズに合うように画像縮小処理部1０６にて縮小される。なお、音声符号化データについては図示せぬ音声復号部に入力されて音声が復号される。
【００２５】
一方、ステータス生成部１０７にて電池の残量情報やアンテナ状況、時計などの情報が生成されて、ステータス画像生成部１０８にて各ステータスに応じた画像が作成される。このステータス画像生成部１０８で生成されたステータス画像と画像縮小処理部１０６で縮小処理されたテレビ画像とが表示制御部１０９に入力される。この際、表示制御部１０９にはモード切替信号生成部１１０からモード切替信号が入力され、表示制御部１０９はこのモード切替信号に従ってテレビ画像とステータス画像のいずれか一方を選択してサブディスプレイ１１１に入力する。
【００２６】
モード切替信号はユーザ操作によってモード切替信号生成部１１０から出力される。ここではモード切替信号として、サブディスプレイ１１１にテレビ画像を表示する操作が行われた場合には「１」を、ステータス画像を表示する操作が行われた場合には「０」を出力するものとする。すなわち、ユーザがサブディスプレイ１１１に受信中のテレビ画像を表示する操作を行うとモード切替信号として「１」が出力され、ステータス画像を表示する操作を行うと、モード切替信号として「０」が出力される。モード切替信号生成部１１０からの信号を基に表示制御部１０９で選択された画像即ちステータス画像又はテレビ画像のいずれか一方がサブディスプレイ１１１に入力されて表示される。
【００２７】
このように本実施の形態の携帯電話端末によれば、受信した放送電波から復号したテレビ画像をサブディスプレイ１１１の画面サイズに合う大きさに縮小し、その縮小したテレビ画像と、電池の残量情報やアンテナ状況、時計などの情報を表すステータス画像とをユーザ操作によって択一的に選択してサブディスプレイ１１１に表示するようにした。これにより、ユーザの意図に合わせてサブディスプレイ１１１にテレビ画像を出力することが可能となり、ユーザは本体を開くことなく閉じたままの状態でテレビ番組の内容を把握することができる。また、テレビ番組の内容を把握したいときにのみテレビ画像を選択できることと、そのテレビ画像をサブディスプレイ１１１に表示することから、電池の消耗を最小限に抑えることができる。
【００２８】
(実施の形態２)
図２は、本発明の実施の形態２に係る携帯電話端末の概略構成を示すブロック図である。なお、この図において、図１と同じ機能を持つ部分については同一番号を付してその説明を省略する。
【００２９】
図２において、本実施の形態の携帯電話端末は、サブディスプレイ１１１に表示するテレビ画像のコマ数を制御する表示コマ数制御部２０１を有している点で上述した実施の形態１の携帯電話端末と異なっている。表示コマ数制御部２０１は分離部１０４と画像復号部１０５との間に設けられ、受信した画像符号化データから画面内符号化されているフレームを探し、画面内符号化されたフレームを検出できたときのみ画像復号部１０５に画像符号化データを渡す。このような機能の表示コマ数制御部２０１を設けることで、復号するフレーム数を少なくでき、画像復号や画像縮小における処理量の低減が図れることから、電池の消耗を更に低く抑えることが可能となる。
【００３０】
なお、本実施の形態では、表示コマ数の削減を、画像復号部１０５の直前でデータ量を削減することで実現したが、表示の直前でデータを更新しないようにすることでも表示コマ数の削減が可能であることは容易に類推できる。
【００３１】
（実施の形態３）
図３は、本発明の実施の形態３に係る携帯電話端末の概略構成を示すブロック図である。なお、この図において、図１と同じ機能を持つ部分については同一番号を付してその説明を省略する。
【００３２】
図３において、本実施の形態の携帯電話端末は、ユーザ操作によってメインディスプレイ３０７による表示とサブディスプレイ１１１による表示とを択一的に選択でき、さらにメインディスプレイ３０７による表示においてユーザ操作によるテレビ画像とメニュー画像の択一的選択、サブディスプレイ１１１による表示においてユーザ操作によるテレビ画像とステータス画像の択一的選択を可能にしている。
【００３３】
本実施の形態の携帯電話端末は、メインディスプレイ３０７とサブディスプレイ１１１の切り替えを行う表示制御部３０１と、サブディスプレイ１１１を選択したときの縮小テレビ画像とステータス画像との切り替えを行うサブディスプレイ表示制御部３０２と、ユーザ操作に従ってサブディスプレイ表示制御部３０２に切替信号を与えるサブディスプレイ表示制御信号生成部３０３と、メニュー画像を生成するメニュー画像生成部３０４と、メインディスプレイ３０７を選択したときのテレビ画像とメニュー画像との切り替えを行うメインディスプレイ表示制御部３０５と、ユーザ操作に従ってメインディスプレイ表示制御部３０５に切替信号を与えるメインディスプレイ表示制御信号生成部３０６と、メインディスプレイ３０７とを備えている。
【００３４】
サブディスプレイ表示制御信号生成部３０３とメインディスプレイ表示制御信号生成部３０６夫々には、ユーザ操作によってＴＶ on/off信号が入力され、本体の開閉によってメイン/サブ切替信号が入力される。表示制御部３０１にはメイン/サブ切替信号のみが入力される。
【００３５】
メイン/サブ切替信号は、本体を閉じたときにサブディスプレイ１１１を有効にする値となり、本体を開いたときにメインディスプレイ３０７を有効にする値となる。すなわち、本体を閉じると、メイン/サブ切替信号がサブディスプレイ１１１を有効にする値となり、メインディスプレイ表示制御信号生成部３０６がメインディスプレイ表示制御部３０５における切り替えを「ＯＦＦ」とする信号をメインディスプレイ表示制御部３０５に与える。一方、本体を開くと、メイン/サブ切替信号がメインディスプレイ３０７を有効にする値となり、サブディスプレイ表示制御信号生成部３０３がサブディスプレイ表示制御部３０２における切り替えを「ＯＦＦ」とする信号をサブディスプレイ表示制御部３０２に与える。このように、本体を閉じているときはメインディスプレイ３０７が無効状態で、サブディスプレイ１１１が有効状態となり、本体を開いているときはサブディスプレイ１１１が無効状態で、メインディスプレイ３０７が有効状態となる。
【００３６】
そして、メインディスプレイ３０７とサブディスプレイ１１１のいずれか一方が有効状態になると、有効となっている方にステータス画像又はメニュー画像が表示される。すなわち、メインディスプレイ３０７が有効状態となるとメニュー画像が表示され、サブディスプレイ１１１が有効状態となるとステータス画像が表示される。ステータス画像又はメニュー画像は、一度表示するとその後も継続して表示するのではなく、従来からある携帯電話端末と同様に、表示開始から一定時間経過した後に消すようにしても良い。
【００３７】
メインディスプレイ３０７とサブディスプレイ１１１のいずれか一方が有効状態となってステータス画像又はメニュー画像が表示されているときに、ユーザによってテレビ番組を観る操作が行われると、ＴＶ on/off信号がオンとなり、メインディスプレイ３０７とサブディスプレイ１１１のうち、有効状態となっている方にテレビ画像が表示される。
【００３８】
すなわち、メインディスプレイ３０７が有効状態となっているときには、メインディスプレイ表示制御信号生成部３０６からメインディスプレイ表示制御部３０５にテレビ画像側に切り替える信号が与えられて、画像復号部１０５からのテレビ画像が表示制御部３０１とメインディスプレイ表示制御部３０５経由でメインディスプレイ３０７に入力される。なお、メインディスプレイ３０７が有効状態となっているときにはサブディスプレイ１１１は無効状態となっているので、ＴＶ on/off信号がオンとなってもサブディスプレイ表示制御信号生成部３０３は何も制御を行わない。
【００３９】
一方、サブディスプレイ１１１が有効状態となっているときには、サブディスプレイ表示制御信号生成部３０３からサブディスプレイ表示制御部３０２にテレビ画像側に切り替える信号が与えられて、画像縮小処理部１０６からの縮小テレビ画像がサブディスプレイ表示制御部３０２経由でサブディスプレイ１１１に入力される。なお、サブディスプレイ１１１が有効状態となっているときにはメインディスプレイ３０７は無効状態となっているので、ＴＶ on/off信号がオンとなってもメインディスプレイ表示制御信号生成部３０６は何も制御を行わない。但し、この状態で本体を開くと、メインとサブが逆転してメインディスプレイ３０７にテレビ画像が表示される。つまり、サブディスプレイ１１１でテレビ番組内容を確認して、関心のある内容となったときに本体を開くだけで直ぐにメインディスプレイ３０７でテレビ画像を観ることができる。
【００４０】
メインディスプレイ３０７にテレビ画像が映し出されているときに、メニュー画像を観る操作が行われると、ＴＶ on/off信号がオフとなって、メインディスプレイ表示制御信号生成部３０６からメインディスプレイ表示制御部３０５にメニュー画像側に切り替える信号が与えられる。これによってメニュー画像生成部３０４からのメニュー画像がメインディスプレイ表示制御部３０５経由でメインディスプレイ３０７に入力され、メインディスプレイ３０７にメニュー画像が映し出される。
【００４１】
同様に、サブディスプレイ１１１にテレビ画像が映し出されているときに、ステータス画像を観る操作が行われると、ＴＶ on/off信号がオフとなって、サブディスプレイ表示制御信号生成部３０３からサブディスプレイ表示制御部３０２にステータス画像側に切り替える信号が与えられる。これによってステータス画像生成部１０８からのステータス画像がサブディスプレイ表示制御部３０２経由でサブディスプレイ１１１に入力され、サブディスプレイ１１１にステータス画像が映し出される。
【００４２】
このように本実施の形態の携帯電話端末によれば、本体を閉じるとサブディスプレイ１１１にステータス画像を表示し、本体を閉じた状態でテレビ画像を観るための操作を行うと、サブディスプレイ１１１にテレビ画像を表示し、その状態で本体を開くとサブディスプレイ１１１からテレビ画像を消し、代わってメインディスプレイ３０７にテレビ画像を表示するので、ユーザはサブディスプレイ１１１でテレビ番組内容を確認し、関心ある内容となったときに本体を開くだけでテレビ画像を直ぐに見ることでき、従来よりも使い勝手の良い携帯電話端末を提供することができる。
【００４３】
なお、本実施の形態では、表示コマ数の削減は行っていないが、上述した実施の形態２の表示コマ数制御部２０１と同じものを設けて表示コマ数の削減を行うようにしても構わない。
【産業上の利用可能性】
【００４４】
本発明は、移動体通信システムの携帯電話端末に適用して好適である。
【図面の簡単な説明】
【００４５】
【図１】本発明の実施の形態１に係る携帯電話端末の概略構成を示すブロック図
【図２】本発明の実施の形態２に係る携帯電話端末の概略構成を示すブロック図
【図３】本発明の実施の形態３に係る携帯電話端末の概略構成を示すブロック図
【符号の説明】
【００４６】
１０１  アンテナ
１０２  受信部
１０３  復調部
１０４  分離部
１０５  画像復号部
１０６  画像縮小処理部
１０７  ステータス生成部
１０８  ステータス画像生成部
１０９、３０１  表示制御部
１１０  モード切替信号生成部
１１１  サブディスプレイ
２０１  表示コマ数制御部
３０２  サブディスプレイ表示制御部
３０３  サブディスプレイ表示制御信号生成部
３０４  メニュー画像生成部
３０５  メインディスプレイ表示制御部
３０６  メインディスプレイ表示制御信号生成部
３０７  メインディスプレイ
【図１】
2007019628.tif 000003
【図２】
2007019628.tif 000004
【図３】
2007019628.tif 000005